(57)【要約】【課題】テラスやサンルーム並びにカーポート等の天井より懸吊される吊り下げ型の物干し金物を提供するもので、テラスやサンルーム並びにカーポート等の天井部より懸吊されるタイプの物干し金物金物を不要時には、天井部付近に跳ね上げ折りたたんで収納し、テラスやサンルームを物干し以外に利用したい時、頭上の物干し金物が邪魔にならないようにする。【解決手段】天井面５を構成する垂木３に取付部品６を介して懸吊される物干し金物２を設け、前記物干し金物２は天井面５への取付部品６と吊りパイプ１１並びに吊りパイプ１１端部に装架される物干し竿掛け２０からなり、取付部品６は吊りパイプ１１を少なくとも懸吊位置より９０度回動自在に支持して懸吊し該吊りパイプ１１が９０度回動した位置にて着脱自在なストッパー機構１６を保持しており天井面５に対して吊りパイプ１１を必要に応じ略平行に保持したり、ストッパー機構１６を解除して吊りパイプ１１を懸吊可能となし、物干し金物２が懸吊されていて邪魔になる時は吊りパイプ１１を回動して折りたたみ天井面５に対して略平行に保持する。【選択図】図２
2005052456.tif 000002
【特許請求の範囲】
【請求項１】
テラスやサンルーム並びにカーポート等の天井面または該天井面を構成する垂木や屋根梁に取付部品を介して懸吊される物干し金物を設け、
前記物干し金物は天井面への取付部品と吊りパイプ並びに吊りパイプ端部に装架される物干し竿掛けとからなり、
前記取付部品は吊りパイプを少なくとも懸吊位置より９０度回動自在に支持して懸吊し、該吊りパイプが９０度回動した位置にて着脱自在なストッパー機構を保持し、天井面に対して吊りパイプを必要に応じ略平行に保持、あるいはストッパー機構を解除して吊りパイプを懸吊可能となし、
前記物干し金物が懸吊され邪魔になる場合には吊りパイプを回動し折りたたみ天井面に対して略平行に保持すること、
を特徴とする吊り下げ型物干し金物の折りたたみ収納装置。
【請求項２】
テラスやサンルーム並びにカーポート等の天井面または該天井面を構成する垂木や屋根梁に物干し金物を懸吊して取り付ける取付部品を、対向する挟持部を有する適宜長さのコの字形状部材となし、
前記挟持部にて吊りパイプを両側より挟持し回転支持軸にて該吊りパイプを回動自在に支持して懸吊可能となし、
前記懸吊された吊りパイプは回転支持軸を中心に少なくとも９０度回動すると前記挟持部他端に設けられ互いに対向して刻設された嵌合ガイド溝を介して嵌合溝に嵌着される構成になり、
前記吊りパイプの挟持部における嵌合溝への嵌着部には嵌合凸部を設けて該吊りパイプのストッパー機構となし、
前記物干し金物が吊りパイプを介して懸吊され邪魔になる場合には該吊りパイプを回動して折りたたみ天井面に対して略平行に前記ストッパー機構にて保持すること、
を特徴とする吊り下げ型物干し金物の折りたたみ収納装置。  
【請求項３】
前記吊りパイプの挟持部における嵌合溝への嵌着部をスプリングを介した嵌合凸部としたこと、
を特徴とする請求項１または請求項２記載の吊り下げ型物干し金物の折りたたみ収納装置。
【請求項４】
前記物干し金物の取付部品を半円形の凸部摺動部を有する取付基板とストッパー機構を有する挟持部とに分割し、該挟持部に前記取付基板に設けられた半円形の凸部摺動部に接合される半円形の凹部摺動部を設け、前記取付基板を水勾配を設けるために傾斜を付け設けられた天井部垂木にビス止め固定し、前記挟持部を取付基板に固着するとき取付基板の半円形凸部摺動部と挟持部の凹部摺動部にて接合させ摺動することで取り付け角度を調整してタッピングビス等で固着すること、
を特徴とする請求項１または請求項３記載の吊り下げ型物干し金物の折りたたみ収納装置。
【請求項５】
前記吊り下げ型物干し金物は天井面への取付部品と吊りパイプ並びに吊りパイプ端部に装架される物干し竿掛けからなり、該吊りパイプを取付部品に対して少なくとも９０度回動してストッパー機構にて水平に保持して折りたたみする場合に物干し竿掛けに物干しを装架したままで折りたたみ可能とするために前記吊りパイプと物干し竿掛けの接続部を回転可能に接続して、前記物干し竿掛けは常に懸吊された状態を保つよう構成されたこと、
を特徴とする請求項１乃至請求項４記載の吊り下げ型物干し金物の折りたたみ収納装置。
【請求項６】
前記吊り下げ型物干し金物の吊りパイプを取付部品に対して回動せしめストッパー機構にて略水平に保持して折りたたんだ時吊りパイプのストッパー機構の補助機構として前記取付部品の回転支持軸より離間距離を有した吊りパイプ上にマグネット吸着機構を設け、該マグネット吸着機構にて近接する天井面垂木等にマグネット受けを設け、前記吊りパイプのマグネット吸着機構が前記マグネット受けに着脱自在に吸着可能としたこと、
を特徴とする請求項１乃至請求項５記載の吊り下げ型物干し金物の折りたたみ収納装置。
【請求項７】
前記吊り下げ型物干し金物の吊りパイプを伸縮自在の構成となし、天井からの物干し竿掛けの懸吊位置を調整できバックルやネジの締着機構にて調整後の物干し竿掛け懸吊位置を固定できること、
を特徴とする請求項１乃至請求項６記載の吊り下げ型物干し金物の折りたたみ収納装置。
【請求項８】
前記吊り下げ型物干し金物の折りたたみ収納並びに懸吊操作はフック付き棒にて行うこと、
を特徴とする請求項１乃至請求項７記載の吊り下げ型物干し金物の折りたたみ収納装置。
【発明の詳細な説明】
【技術分野】
【０００１】
本発明はテラスやサンルーム並びにカーポート等の天井より懸吊される吊り下げ型の物干し金物のに関するものであり、本発明の目的は上記テラスやサンルーム並びにカーポート等の天井部より懸吊されるタイプの物干し金物金物を不要時には、天井部付近に跳ね上げ折りたたんで収納し、前記テラスやサンルームを物干し以外に利用したい時、頭上の物干し金物が邪魔にならないようにするものである。
【０００２】
また、カーポートにおいては、自動車のないときには、天井付近に折り畳んで収納している物干し金物をワンタッチで引き出して、懸吊することによりカーポートを物干し場として有効に使用できる吊り下げ型物干し金物折りたたみ収納装置に関するものである。
【背景技術】
【０００３】
テラスやサンルーム並びにカーポートの屋根は、網入りガラスやアクリル板及びポリカーボネイト板により覆われており、雨除けと採光を重視した構造がとられているため、多くの場合、テラスやサンルームそしてカーポートとしての役割の他、物干し場として使用されている割合が非常に多い。
【０００４】
従って、物干し竿掛けを屋根内面の天井部分から懸吊して、該物干し竿掛けに、物干し竿を装架して物干し場を構成しているが、該物干し金物や物干し竿は、丁度頭上付近に位置するため、物干し場として使用されている以外は、非常に邪魔であるばかりか、頭上に注意を払うことを忘れるを大変危険な物になりかねない。
【発明の開示】
【発明が解決しようとする課題】
【０００５】
而して、本発明は、テラスやサンルーム並びにカーポート等の天井より懸吊される吊り下げ型の物干し金物に関するものであり、本発明の目的は上記テラスやサンルーム並びにカーポート等の天井部より懸吊されるタイプの物干し金物金物を不要時には、天井部付近に跳ね上げ折りたたんで収納し、前記テラスやサンルームを物干し以外に利用したい時、頭上の物干し金物が邪魔にならないようにするものである。
【０００６】
また、カーポートにおいては、例えば、自動車通勤後で、車のないときに、天井付近に折りたたんで収納している物干し金物をワンタッチで引き出して、懸吊することによりカーポートを物干し場として有効に使用できる吊り下げ型物干し金物折りたたみ収納装置を提供するものである。本発明は、雨除けと採光を重視して造られたテラスやサンルーム並びにカーポートの利用価値を高める安全で使い勝っての良い物干し金物と該物干し金物の折りたたみ収納装置を提供する。
【課題を解決するための手段】
【０００７】
本発明は、テラスやサンルーム並びにカーポート等の天井面または該天井面を構成する垂木や屋根梁に取付部品を介して懸吊される物干し金物を設け、前記物干し金物は天井面への取付部品と吊りパイプ並びに吊りパイプ端部に装架される物干し竿掛けからなる。
【０００８】
前記取付部品は吊りパイプを少なくとも懸吊位置より９０度回動自在に支持して懸吊し該吊りパイプが９０度回動した位置にて着脱自在なストッパー機構を保持しており天井面に対して吊りパイプを必要に応じ略平行に保持したりストッパー機構を解除して吊りパイプを懸吊可能としている。
【０００９】
而して、本発明は、物干し金物が懸吊されていて邪魔になる時は、吊りパイプを回動して折りたたみ天井面に対して略平行に保持することにより物干し金物を折りたたみ天井面に近接した高い位置に収納できる吊り下げ型物干し金物の折りたたみ収納装置を提供するものである。
【００１０】
本発明の具体的な構成は、テラスやサンルーム並びにカーポート等の天井面または該天井面を構成する垂木や屋根梁に物干し金物を懸吊して取り付ける取付部品として、対向する挟持部を有する適宜な長さのコの字形状の取付部品を準備して、
前記取付部品の挟持部にて吊りパイプを両側より挟持し回転支持軸にて該吊りパイプを回動自在に支持して懸吊する。
【００１１】
前記懸吊された吊りパイプは回転支持軸を中心に少なくとも９０度回動すると前記挟持部他端に設けられ互いに対向して刻設された嵌合ガイド溝を介して嵌合溝に嵌着される構成を有しており、該吊りパイプの挟持部嵌合溝への嵌着部には嵌合凸部を設けて該吊りパイプのストッパー機構を設けている。
【００１２】
而して、物干し金物が吊りパイプを介して懸吊されていて邪魔になる時は、該吊りパイプを回動して跳ね上げることにより折りたたみ、天井面に対して略平行に吊りパイプをストッパー機構にて保持することにて該吊りパイプの先端部に設けた物干し竿掛けを天井面近傍の高い位置に収納する吊り下げ型物干し金物の折りたたみ収納装置である。
【００１３】
また、本発明は、吊りパイプの挟持部における嵌合溝への嵌着部をスプリングを介した嵌合凸部とすることにより、吊りパイプを確実にストッパー機構に固着でき、その解除作業も容易に行える。
【００１４】
更に、物干し金物の取付部品は半円形の凸部摺動部を有する取付基板とストッパー機構を有する挟持部に分割し、該挟持部に前記取付基板に設けられた半円形の凸部摺動部に接合される半円形の凹部摺動部を設けることにより、取付角度の調整が可能となった。
【００１５】
従って、取付基板を水勾配を設けるために傾斜を付けた設けられた天井部垂木にビス止め固定し、前記挟持部を取付基板に固着するとき取付基板の半円形凸部摺動部と挟持部の凹部摺動部にて接合させ摺動することで取り付け角度を調整して固着用ビスで固着することができた。
【００１６】
その他、本発明は、吊り下げ型物干し金物は天井面への取付部品と吊りパイプ並びに吊りパイプ端部に装架される物干し竿掛けからなり、該吊りパイプを取付部品に対して少なくとも９０度回動してストッパー機構にて吊りパイプを水平に保持して折りたたみする場合に、物干し竿掛けに物干しを装架したままで折りたたみ可能とするために前記吊りパイプと物干し竿掛けの接続部を回転可能に接続して、前記物干し竿掛けは常に懸吊された状態を保つよう構成されている。
【発明の効果】
【００１７】
斯くして、本発明は、テラスやサンルーム並びにカーポート等の天井部より懸吊されるタイプの物干し金物金物を不要時には、天井部付近に跳ね上げ折りたたんで収納し、前記テラスやサンルームを物干し以外に利用したい時、頭上の物干し金物が邪魔にならないようにすることができ、テラスやサンルームがスッキリとして動線が確保され、物干し以外の利用が可能となり、美観的にも優れた商品を提供することができた。
【００１８】
また本発明は、カーポートにおいては、例えば、自動車通勤後で、車のないときに、天井付近に折りたたんで収納している物干し金物をワンタッチで引き出して、懸吊することによりカーポートの中央をを物干し場として有効に使用できる吊り下げ型物干し金物折りたたみ収納装置で、カーポート等では物干し以外に車の洗車時に給水用ホースの保持用にも利用できる。
【００１９】
本発明は、雨除けと採光を重視して造られたテラスやサンルーム並びにカーポートにおいて、テラスやサンルーム並びにカーポートの利用価値を高める安全で使い勝手の良い物干し金物と該物干し金物の折りたたみ収納装置を提供することができた。
【発明を実施するための最良の形態】
【００２０】
本発明に係る吊り下げ型物干し金物の折りたたみ収納装置は、テラスやサンルーム並びにカーポート等の天井面または該天井面を構成する垂木や屋根梁に取付部品を介して懸吊される物干し金物を設け、
前記物干し金物は天井面への取付部品と吊りパイプ並びに吊りパイプ端部に装架される物干し竿掛けとからなり、
前記取付部品は吊りパイプを少なくとも懸吊位置より９０度回動自在に支持して懸吊し、該吊りパイプが９０度回動した位置にて着脱自在なストッパー機構を保持し、天井面に対して吊りパイプを必要に応じ略平行に保持、あるいはストッパー機構を解除して吊りパイプを懸吊可能となし、
前記物干し金物が懸吊され邪魔になる場合には吊りパイプを回動し折りたたみ天井面に対して略平行に保持すること、を要旨とする。
【００２１】
また、テラスやサンルーム並びにカーポート等の天井面または該天井面を構成する垂木や屋根梁に物干し金物を懸吊して取り付ける取付部品を、対向する挟持部を有する適宜長さのコの字形状部材となし、
前記挟持部にて吊りパイプを両側より挟持し回転支持軸にて該吊りパイプを回動自在に支持して懸吊可能となし、
前記懸吊された吊りパイプは回転支持軸を中心に少なくとも９０度回動すると前記挟持部他端に設けられ互いに対向して刻設された嵌合ガイド溝を介して嵌合溝に嵌着される構成になり、
前記吊りパイプの挟持部における嵌合溝への嵌着部には嵌合凸部を設けて該吊りパイプのストッパー機構となし、
前記物干し金物が吊りパイプを介して懸吊され邪魔になる場合には該吊りパイプを回動して折りたたみ天井面に対して略平行に前記ストッパー機構にて保持すること、も要旨とする。
【００２２】
更には、前記吊りパイプの挟持部における嵌合溝への嵌着部をスプリングを介した嵌合凸部としたこと、又、前記物干し金物の取付部品を半円形の凸部摺動部を有する取付基板とストッパー機構を有する挟持部とに分割し、該挟持部に前記取付基板に設けられた半円形の凸部摺動部に接合される半円形の凹部摺動部を設け、前記取付基板を水勾配を設けるために傾斜を付け設けられた天井部垂木にビス止め固定し、前記挟持部を取付基板に固着するとき取付基板の半円形凸部摺動部と挟持部の凹部摺動部にて接合させ摺動することで取り付け角度を調整してタッピングビス等で固着すること、も好ましい。
【００２３】
また、前記吊り下げ型物干し金物は天井面への取付部品と吊りパイプ並びに吊りパイプ端部に装架される物干し竿掛けからなり、該吊りパイプを取付部品に対して少なくとも９０度回動してストッパー機構にて水平に保持して折りたたみする場合に物干し竿掛けに物干しを装架したままで折りたたみ可能とするために前記吊りパイプと物干し竿掛けの接続部を回転可能に接続して、前記物干し竿掛けは常に懸吊された状態を保つよう構成されたこと、
前記吊り下げ型物干し金物の吊りパイプを取付部品に対して回動せしめストッパー機構にて略水平に保持して折りたたんだ時吊りパイプのストッパー機構の補助機構として前記取付部品の回転支持軸より離間距離を有した吊りパイプ上にマグネット吸着機構を設け、該マグネット吸着機構にて近接する天井面垂木等にマグネット受けを設け、前記吊りパイプのマグネット吸着機構が前記マグネット受けに着脱自在に吸着可能としたこと、
前記吊り下げ型物干し金物の吊りパイプを伸縮自在の構成となし、天井からの物干し竿掛けの懸吊位置を調整できバックルやネジの締着機構にて調整後の物干し竿掛け懸吊位置を固定できること、
更には、前記吊り下げ型物干し金物の折りたたみ収納並びに懸吊操作はフック付き棒にて行うこと、も好ましいと言える。
【実施例１】
【００２４】
図１乃至図は本発明の実施例１を示す説明図であり、図１は正面図、２は側面図、図３は取付部品の形状例を示す斜視説明図、図４は本発明をカーポートに取り付けた状態を示す説明図である。
【００２５】
図において、１は本発明の吊り下げ型物干し金物２が取り付けられるテラスやサンルーム並びにカーポートの部分断面を示すもので、垂木３にポリカーボネイト板４がはめ込まれており、天井面５を形成している。
【００２６】
前記垂木３は、通常、水勾配をとるために図１に示すようにどちらかに傾斜を持って構成されている。垂木３はアルミ押出型材等にて製作されており、本発明の吊り下げ型物干し金物２の取付位置が決まると、該垂木３には取付部品６が固着される。
【００２７】
取付部品６は図３の斜視図に示す如く、半円形の凸部摺動部７を有する取付基板８と該凸部摺動部７に接合し摺動可能な凹部摺動部９を有するコの字形状部材１０からなる。
【００２８】
コの字形状部材１０は吊りパイプ１１の挟持部１２a、１２bを有しており、該挟持部１２a、１２bは前記吊りパイプ１１を両側より挟持し、回転支持軸１３により吊りパイプ１１を回動自在に支持して、該吊りパイプ１１を懸吊している。
【００２９】
前記懸吊された吊りパイプ１１は、回転支持軸１３を中心に少なくとも９０度回動すると前記挟持部１２a、１２bの他端に設けられ互いに対向して刻設された嵌合ガイド１４a、１４bを介して嵌合溝１５a、１５bに嵌着されるストッパー機構１６から構成されており、１７a、１７bは、吊りパイプ１１の嵌着を確実なものにするための突起または、スプリングを介して伸縮可能な嵌合凸部である。
【００３０】
上述の形状を有するコの字形状部材１０は、垂木２に固定ビス１８にて固着された取付基板８の凸部摺動部７に前記コの字形状部材１０の凹部摺動部９を接合して摺動し垂木２の傾きに対するコの字形状部材１０の角度調整を行い、前記取付部品６より懸吊される吊りパイプ１１が床面に対して垂直に位置するように固着用ビス１９にて取り付ける。
【００３１】
而して、テラスやサンルーム並びにカーポートの垂木２に取り付けられた物干し金物２は取付部品６と吊りパイプ１１並びに吊りパイプ端部に装架される物干し竿掛け２０から構成され、図１または、図２に示された物干し竿掛け２０は、リング形状を有しており、物干し竿掛け２０を一対、テラス等に設けて、リング形状の物干し竿掛け２０間に物干し竿２１を装架することができる。
【００３２】
更に、前記物干し竿掛け２０は、吊りパイプ１１に対して軸２２を中心に回転可能に接続されており、前記吊りパイプ１１を取付部品６に対して少なくとも９０度回動してストッパー機構１６にて前記吊りパイプ１１を水平に保持して折りたたみする場合に、物干し竿掛け２０に物干し竿２１を装架したままで折りたたみ可能とした。
【００３３】
図２の想像線２３は上記吊りパイプ１１を跳ね上げストッパー機構１６にて前記吊りパイプ１１を保持して、吊り下げ型物干し金具２を折りたたんだ状態を示している。
【００３４】
図４は本発明の吊り下げ型物干し金物２をカーポート天井面５に一対取り付けた状態を示しており、該実施例においては取付部品６のストッパー機構１６に保持された吊りパイプ１１は、それぞれの取付部品６の回転支持軸１３より離間距離を有した吊りパイプ１１上に設けられたマグネット吸着機構２４により、垂木３b、３cに設けられたマグネット受け２５にそれぞれ吸着されており、先端部の風等による揺れや風切り音の発生を防止して、前記吊りパイプ１１の保持を確実なものとしている。
【００３５】
本発明の実施例１においては、前記吊り下げ型物干し金物２の吊りパイプ１１は伸縮自在の構成となし、天井面５からの物干し竿掛け２０の懸吊位置を調整できバックルやネジの締着機構にて物干し竿掛け２０の高さ調整後の位置を固定できる。
【００３６】
また、本発明の実施例１においては、テラスやカーポートの天井面５が通常比較的高い位置にあるため、前記吊り下げ型物干し金物二の折りたたみ収納並びに懸吊操作はフック付き棒材にて行われる。
【実施例２】
【００３７】
図５は本発明の他の実施例２を示すもので、天井面５の垂木３からは、実施例１にて詳説した吊りパイプ１１が二本懸吊されており、該吊りパイプ１１の下端部には物干し竿が２１が複数本装架出来る竿掛け孔２６a、２６ｂ、２６ｃ、２６dが穿設された長細い物干し竿掛け２０が保持されている。
【００３８】
図５においては上記形状の物干し竿掛け２０が、図５の奥行き方向に対向してもう一つ設けられており、一対の吊り下げ型物干し金物２を構成している。しかして、実施例２においては、物干し金物２を構成する垂木３への取付部品６、吊りパイプ１１を保持するストッパー機構１６は全て同一構成要素にて構成されており、想像線２７にて示す如く二本の吊りパイプ１１a、１１ｂを回動せて折りたたみ、保持できる。
【００３９】
斯くして本発明は、テラスやサンルーム並びにカーポートの天井面５または該天井面５を構成する垂木３や屋根梁に取付部品６を介して懸吊される物干し金物２を設け、
前記物干し金物２は天井面５への取付部品６と吊りパイプ１１並びに吊りパイプ１１端部に装架される物干し竿掛け２０からなり、
前記取付部品６は吊りパイプ１１を少なくとも懸吊位置より９０度回動自在に支持して懸吊し該吊りパイプ１１が９０度回動した位置にて着脱自在なストッパー機構１６を保持しており天井面５に対して吊りパイプ１１を必要に応じ略平行に保持したりストッパー機構１６を解除して吊りパイプ１１を懸吊可能となし、
前記物干し金物２が懸吊されていて邪魔になる時は吊りパイプ１１を回動して折りたたみ天井面５に対して略平行に保持する吊り下げ型物干し金物の折りたたみ収納装置を提供することができた。
【００４０】
本発明においては、テラスやサンルーム並びにカーポートの天井面５または該天井面を構成する垂木３や屋根梁に物干し金物２を懸吊して取り付ける取付部品６は対向する挟持部１２a、１２bを有する適宜な長さのコの字形状部材１０となし、
前記挟持部１２a、１２bにて吊りパイプ１１を両側より挟持し回転支持軸１３にて該吊りパイプ１１を回動自在に支持して懸吊可能となし、
前記懸吊された吊りパイプ１１は回転支持軸１３を中心に少なくとも９０度回動すると前記挟持部１２a、１２bの他端に設けられ互いに対向して刻設された嵌合ガイド溝１４a、１４bを介して嵌合溝１５a、１５bに嵌着される構成となし、
前記吊りパイプ１１の挟持部１２a、１２bに設けられた嵌合溝１５a、１５bへの嵌着部には嵌合凸部１７a、１７bを設けて該吊りパイプ１１のストッパー機構１６となし、
前記物干し金物２が吊りパイプ１１を介して懸吊されていて邪魔になる時は該吊りパイプ１１を回動して折りたたみ天井面５に対して略平行に前記ストッパー機構１６にて保持する構成を採用した。  
【００４１】
本発明の他の特徴は、吊りパイプ１１の挟持部嵌合溝１５a、１５bへの嵌着部をスプリングを介した嵌合凸部１７a、１７bとすることにより、円滑な吊りパイプ１１のストッパー機構１６を得ることができた。
【００４２】
また、本発明は、物干し金物２の取付部品６は半円形の凸部摺動部７を有する取付基板８とストッパー機構１６を有するコの字形状部材１０に分割し、該コの字形状部材１０に前記取付基板８に設けられた半円形の凸部摺動部７に接合される半円形の凹部摺動部９を設け、前記取付基板８を水勾配を設けるために傾斜を付けた設けられた天井面５の垂木３にビス止め固定し、前記コの字形状部材１０を取付基板８に固着するとき取付基板８の半円形凸部摺動部７とコの字形状部材の凹部摺動部８にて接合させ摺動することで取り付け角度を調整して固着用ビス１９で固着する構成とした。
【００４３】
更に、本発明では、吊り下げ型物干し金物２は天井面５への取付部品６と吊りパイプ１１並びに吊りパイプ１１端部に装架される物干し竿掛け２０からなり、該吊りパイプ１１を取付部品６に対して少なくとも９０度回動してストッパー機構１６にて水平に保持して折りたたみする場合に物干し竿掛け２０に物干し竿２１を装架したままで折りたたみ可能とするために前記吊りパイプ１１と物干し竿掛け２０の接続部を回転可能に接続して、前記物干し竿掛け２０は常に懸吊された状態を保つよう構成した。
【００４４】
尚、吊り下げ型物干し金物２の吊りパイプ１１を取付部品６に対して回動せしめストッパー機構１６にて略水平に保持して折りたたんだ時、吊りパイプ１１のストッパー機構１６の補助機構として前記取付部品６の回転支持軸１３より離間距離を有した吊りパイプ１１上にマグネット吸着機構２３を設け、該マグネット吸着機構２３にて近接する天井面５の垂木３に着脱自在にマグネット受け２４を設け吸着可能とした。
【００４５】
斯くして本発明は、吊り下げ型物干し金物２の吊りパイプ１１は伸縮自在の構成となし、天井面５からの物干し竿掛け２０の懸吊位置を調整できバックルやネジの締着機構にて調整後の物干し竿掛け２０の懸吊位置を固定できる。
【００４６】
また、吊り下げ型物干し金物２の折りたたみ収納並びに懸吊操作はフック付き棒にて行うことを提案している。
【００４７】
尚、本発明の実施例の説明においては、一例としてテラスやサンルーム並びにカーポート等所謂外向けの場合を例に説明してきたが、本発明に係る吊り下げ型物干し金物の折りたたみ収納装置は、格別前記テラス等外向けのみに限られることはなく、内向けとして、例えば浴室内に設けられる物干し金物の折りたたみ収納装置としても適宜用いられ得ることは、当然のことであることを（実施例としては、特に示さないが）、念のため述べておきたい。
【産業上の利用可能性】
【００４８】
本発明は、例えばベランダなどの天井等よりの吊り下げ型の物干し金物であって不要時には天井部等近傍に跳ね上げ折りたたんで収納できるため、ベランダ等を広く効率的に利用でき、使用者にとって極めて有用であり、又、ベランダ等の外向けのみならず浴室など内向けにても適宜設置可能なので、産業上の利用範囲は極めて広い。
【図面の簡単な説明】
【００４９】
【図１】本発明を説明する正面図である。
【図２】本発明を説明する側面図である。
【図３】本発明の要部を説明する斜視図である。
【図４】本発明の実施例１を説明する斜視図である。
【図５】本発明の実施例２を説明する斜視図である。
【符号の説明】
【００５０】
１  テラス等の部分断面
２  吊り下げ型物干し金物
３  垂木
４  ポリカーボネイト板
５  天井面
６  取付部品
７  凸部摺動部        
８  取付基板
９  凹部摺動部
１０  コの字形状部材
１１  吊りパイプ
１２a、１３b  挟持部
１３  回転支持軸            
１４a、１４b  嵌合ガイド
１５a、１５b  嵌合溝  
１６  ストッパー機構
１７a、１７b  突起または嵌合凸部      
１８  固定ビス
１９  固着用ビス
２０  物干し竿掛け
２１  物干し竿
２２  軸      
２３  想像線
２４  マグネット吸着機構
２５  マグネット受け
２６a、２６b、２６c、２６d  竿掛け孔
２７  想像線
【図１】
2005052456.tif 000003
【図２】
2005052456.tif 000004
【図３】
2005052456.tif 000005
【図４】
2005052456.tif 000006
【図５】
2005052456.tif 000007